(57)【要約】【課題】ディスクの半径の最内周から最外周まで通して光路長が変わること無く、また高密度記録化のための記録層形状の変化が無いために切り替えのための制御無く記録・再生が可能となる光学式ディスクを提供する。【解決手段】表面の中心に対して渦巻き状の記録トラックを有する円盤状の記録媒体からなり、記録トラックにレーザ光を照射させて記録し、レーザ光３０４の照射による反射光を検出して記録トラックに記録された情報を再生する光学式ディスクにおいて、レーザ光を照射する記録層は、円盤状の記録媒体のランド部壁面３０１の内周向きあるいは外周向きで、レーザ光３０４の入射方向と垂直方向に形成する。【選択図】        図３
2005004821.tif 000002
【特許請求の範囲】
【請求項１】
表面の中心に対して渦巻き状の記録トラックを有する円盤状の記録媒体からなり、記録トラックにレーザ光を照射させて記録し、レーザ光の照射による反射光を検出して記録トラックに記録された情報を再生する光学式ディスクにおいて、
レーザ光を照射する記録層は、円盤状の記録媒体のランド部壁面の内周向きあるいは外周向きで、レーザ光の入射方向と垂直方向に形成することを特徴とする光学式ディスク。
【請求項２】
請求項１記載の光学式ディスクにおいて、
上記ランド部と隣接するランド部との間にレーザ光の入射光を記録層に反射させる反射ミラーを設けることを特徴とする光学式ディスク。
【請求項３】
請求項２記載の光学式ディスクにおいて、
上記反射ミラーを覆う保護層を有することを特徴とする光学式ディスク。
【発明の詳細な説明】
【０００１】
【発明の属する技術分野】
本考案は、光学式ディスクに関し、高密度記録を行い、かつ高密度記録化に伴う記録方法および再生方法を簡易化するための光ディスクの構造に関する。
【０００２】
【従来の技術】
円盤状の記録媒体表面の中心に対して、渦巻き状の記録トラックを有し、このトラックにレーザ光を照射させて光学式ディスクに記録したり、レーザ光の照射による反射光を検出して記録トラックに記録された情報を再生する光学式ディスクに関して、高密度記録するためには、ランド・グルーブ記録（図４）や記録溝の大きさ、幅、深さなど形状を変化させて、記録・再生（図５）するものが提案されている。
【０００３】
【特許文献１】
特開平１１−１６２１５号公報
【０００４】
【発明が解決しようとする課題】
しかし、高密度記録化のために設けられたランド記録部（図４：４０１）による光路と、グルーブ記録部（図４：４０２）による光路では光路差が発生する（図４）。よって、ランド部の情報を記録および再生する時からグルーブ部を記録および再生する時、あるいはグルーブ部を記録および再生する時からランド部の情報を記録および再生する時に焦点を合わせるためには、ピックアップ内のアクチュエータ及び対物レンズを稼動させる事によってフォーカス制御を行っている。よって、ランド・グルーブ間の段差の分アクチュエータ及び対物レンズの稼動範囲が狭くなる。また、記録溝の形状を工夫している例では、記録層１（図５：５０１）の情報を記録および再生する時から記録層２（図５：５０２）の情報を記録および再生する時、あるいは記録層２（図５：５０２）の情報を記録および再生する時から記録層１（図５：５０１）の情報を記録および再生する時に、それぞれ異なる記録層に切り替えるための制御を要する。以上の様に、高密度記録化のためにレーザ光の検出装置が複雑化するという問題が有った。
【０００５】
本発明は、従来技術の問題を解決するものであり、ディスクの半径の最内周から最外周まで通して光路長が変わること無く、また高密度記録化のための記録層形状の変化が無いために切り替えのための制御無く記録・再生が可能となる光学式ディスクを提供することを目的とする。
【０００６】
【課題を解決するための手段】
本発明は、円盤状の記録媒体表面の中心に対して、渦巻き状の記録トラックを有し、このトラックにレーザ光を照射させて光学式ディスクに記録したり、レーザ光の照射による反射光を検出して記録トラックに記録された情報を再生する光学式ディスクについて、レーザ光を照射する記録層を円盤状の記録媒体のランド部壁面の内周向きあるいは円盤状の記録媒体のランド部壁面の外周向きとし、レーザ光の入射方向と垂直方向に形成し、記録層と記録層の間にレーザ光の入射光を記録層に反射させるための反射ミラーを設ける（図３参照）事を特徴とする光学式ディスクである。また、反射ミラーを覆う保護層を有することを特徴とする。
【０００７】
【発明の実施の形態】
本発明の実施の形態を説明する。
本発明の光学式ディスクの実施形態について、図面を参照しながら説明する。
【０００８】
実施形態を説明する。本実施形態の光学式ディスクは、図１に示すように、円盤状の記録媒体の表面部１００の中心穴に対して、図２に示すような渦巻き状の記録トラック（断面図）で半径方向に一定のトラックピッチ構成となっている。
【０００９】
記録層は、従来技術（図３参照）におけるランド部の壁面３０１に構成している。また、従来技術におけるグルーブ部には反射ミラー３０２を設置する事により、対物レンズからの照射される光ビーム３０３は、前述の反射ミラー３０２にて全反射して、前述のランド部壁面の記録層３０１に照射される。また、図３では図面左方向に反射しているが、反射光を逆（右）側に向ける反射ミラー３０２を設置し、記録層に照射した場合も同様である。高密度記録化のための従来技術は図４に示す様に、ランド部記録４０１およびグルーブ部記録４０２で段差がありランド・グルーブそれぞれ切り替わる際に、アクチュエータおよび対物レンズを駆動させてフォーカス方向を調整する事になりアクチュエータ、対物レンズに負荷が加わる。また、ランド・グルーブによる段差のためにアクチュエータ、対物レンズの稼動範囲が段差の分だけ狭くなる。また、図５に示す様に記録溝の大きさ、幅、深さなど形状を変化させて高密度記録を行う場合も記録層５０１と記録層５０２で切り替えのための制御を要する。
【００１０】
ここで、本実施形態の光学式ディスクの構成を説明する前に、光学式ディスクの記録および再生原理を記す。図８において、記録および再生の光学系は、光学式ディスク８０６に照射するレーザ光を発生させる半導体レーザ等のレーザ発光素子８０１と、光ディスクからの反射光の光路を変化させるためのビームスプリッタ８０２と、レーザ発光素子８０１で放射されたレーザ光を平行光にする集光レンズ８０３と、光学式ディスクからの反射光の光路を直角に曲げるための１／４波長板８０４と、光学式ディスクの表面にスポット状のレーザ光を形成するための対物レンズ８０５及びビームスプリッタ８０２からの反射光の強度を検出する光検出器８０８から構成される。
【００１１】
半導体レーザ８０１から出射した光ビーム８１０は、ビームスプリッタ８０２を透過し、１／４波長板８０４で円偏光になり、対物レンズ８０５で集光され、光学式ディスク８０６のピット８０７に照射される。また、その反射光は再び１／４波長板８０４を通過し、直線偏光になるためビームスプリッタ８０２で反射された光ビーム８１１は光検出器８０８へと導かれる。
【００１２】
本実施形態の光学式ディスクは、従来技術でいうところのランド部（図６）の壁面に記録層６０１を設け、従来技術でいうところのグルーブ部６０２に反射ミラー６０３を設置した後、図７で示す様に保護層７０３で記録層を覆っている。
【００１３】
前述した光学系において対物レンズにて形成されたスポット状のレーザ光は本考案の光学式ディスク上の反射ミラー７０２にて全反射した後、記録層７０１に照射される。
【００１４】
【発明の効果】
記録層をレーザ光の入射方向と垂直方向とし、記録層と記録層の間にレーザ光の入射光を記録層に反射させるための反射ミラーを設置する事によって、ディスクの半径の最内周から最外周まで通して光路長が変わること無く、また高密度記録化のための記録層形状の変化が無いために切り替えのための制御無く記録・再生が可能となる。以上の様に、本考案の光学式ディスクを用いる事によってフォーカス制御時のアクチュエータおよび対物レンズの稼動範囲を広げることが出来る。また、高密度記録化のための記録層形状の変化が無いために光ディスク装置の記録・再生するための制御機構の簡易化が可能になる。また、記録層がレーザ光の入射方向と垂直方向にあり、光学式ディスクの表面側に露出していないために外傷などの影響を受けにくい。
更に、構造上隣接トラックが無いためにクロストークの影響を受けにくい。
【図面の簡単な説明】
【図１】光学式ディスクの説明図。
【図２】本考案光ディスク断面図。
【図３】本考案光ディスク断面詳細図。
【図４】従来例１：ランド・グルーブ方式の説明図。
【図５】従来例２：高記録密度対応例の説明図。
【図６】本考案ディスクの構成１の説明図。
【図７】本考案ディスクの構成２の説明図。
【図８】ピックアップ光学系例の説明図。
【符号の説明】
１０１  光学式ディスク
２０１  本考案記録層
２０２  本考案反射ミラー
３０１  本考案記録層詳細
３０２  本考案反射ミラー詳細
３０３  入射光
３０４  反射光
４０１  従来例によるランド部記録層
４０２  従来例によるグルーブ部記録層
５０１  従来例による記録層１
５０２  従来例による記録層２
６０１  記録層
６０２  反射ミラー
７０１  記録層
７０２  反射ミラー保護層
８０１  レーザ発光素子
８０２  ビームスプリッタ
８０３  集光レンズ
８０４  １／４波長板
８０５  対物レンズ
８０６  光学式ディスク
８０７  光学式ディスク内ピット
８０８  光検出器
８１０  記録時の光路
８１１  再生時の光路
【図１】
2005004821.tif 000003
【図２】
2005004821.tif 000004
【図３】
2005004821.tif 000005
【図４】
2005004821.tif 000006
【図５】
2005004821.tif 000007
【図６】
2005004821.tif 000008
【図７】
2005004821.tif 000009
【図８】
2005004821.tif 000010